(57)【要約】【課題】易開封性の弱体部を有する合成樹脂製封緘用ベルトにおいて、帯状体２に対する弱体部９の位置設定に工夫を凝らすことにより弱体部９の不慮の切断事故を防止する。【解決手段】帯状体２と、この帯状体２の一端に形成された先端部３と、帯状体２の他端に形成され先端部３が挿入される孔４を有するヘッド部５とからなる。先端部３には抜止め突起６が設けられ、孔４の内壁には抜止め突起６が反挿入方向に引抜き不可能に係合する係合部７が設けられる。先端部３の抜止め突起６より後方側には、引きちぎり可能な弱体部９が、先端部３が孔４内に引き抜き不可能に挿入された状態下で該孔４内に位置するよう設けられている。【選択図】    図３
2004244076.tif 000002
【特許請求の範囲】
【請求項１】
帯状体と、この帯状体の一端に形成された先端部と、前記帯状体の他端に形成され前記先端部が挿入される孔を有するヘッド部とからなり、前記先端部に抜止め突起が設けられ、前記孔の内壁に前記抜止め突起が反挿入方向に引抜き不可能に係合する係合部が設けられている合成樹脂製封緘用ベルトにおいて、
前記先端部の前記抜止め突起より後方側に、引きちぎり可能な弱体部が、前記先端部が前記孔内に引き抜き不可能に挿入された状態下で前記孔内に位置するよう設けられていることを特徴とする、合成樹脂製封緘用ベルト。
【発明の詳細な説明】
【０００１】
【発明の属する技術分野】
本発明は、コンテナや倉庫等の扉や各種容器の封緘に使用される合成樹脂製封緘用ベルトに関する。
【０００２】
【従来の技術】
この種の合成樹脂製封緘用ベルトは、コンテナや容器等に詰められた製品や荷物の盗難、荷抜き、紛失等を防止するために使用される。この合成樹脂製封緘用ベルトとして、例えば、図４に示すように、帯状体２０と、この帯状体２０の一端に形成された先端部２１と、帯状体２０の他端に形成され先端部２１が挿入される孔２２を有するヘッド部２３とからなり、先端部２１には抜止め突起２４が設けられ、前記孔２２の内壁には抜止め突起２４が反挿入方向に引抜き不可能に係合する係合突起２５が設けられ、先端部２１の抜止め突起２４より後方側には肉薄にかつ抜き孔２６を設けてねじ切り容易な弱体部２７を形成してなるものがある（例えば、特許文献１参照。）。
【０００３】
このように構成された合成樹脂製封緘用ベルトは、図５に示すように、例えばコンテナの扉等の被封緘部材Ｐに帯状体２０を巻いたり通したりして、先端部２１をヘッド部２３の孔２２に挿入すると、抜止め突起２４が孔２２内の係合突起２５に引抜き不可能に係合するので、封緘機能を発揮する。そして、この封緘状態から開封するには、ヘッド部２３の外部に位置する帯状体２０の弱体部２７をねじ切るのである。
【０００４】
【特許文献１】
特開２００１−１３９０５４号公報
【０００５】
【発明が解決しようとする課題】
しかるに、易開封性の弱体部２７を有する上記合成樹脂製封緘用ベルトでは、これにより封緘されたコンテナや容器等が寒冷地域等の屋外に置かれていると、雪が合成樹脂製封緘用ベルトの上に積ることがあるが、この場合積った雪をほうき等の掃除道具で合成樹脂製封緘用ベルトから払い落とすとき、掃除道具が弱体部２７に直接衝当して不慮に弱体部２７が切断される、という問題を生じることがあった。また、封緘状態時に不測にも他物が帯状体２０の弱体部２７に当たったり、引っ掛かったりして弱体部２７が切断される不具合な事態も生じていた。
【０００６】
本発明は、このような問題を解消するためになされたもので、その目的とするところは、上記のような易開封性の弱体部を有する合成樹脂製封緘用ベルトにおいて、帯状体に対する弱体部の位置設定に工夫を凝らすことにより不慮の弱体部の切断事故を防止できる合成樹脂製封緘用ベルトを提供することにある。
【０００７】
【課題を解決するための手段】
本発明は、帯状体と、この帯状体の一端に形成された先端部と、前記帯状体の他端に形成され前記先端部が挿入される孔を有するヘッド部とからなり、前記先端部に抜止め突起が設けられ、前記孔の内壁に前記抜止め突起が反挿入方向に引抜き不可能に係合する係合部が設けられている合成樹脂製封緘用ベルトにおいて、前記先端部の前記抜止め突起より後方側に、引きちぎり可能な弱体部が、前記先端部が前記孔内に引き抜き不可能に挿入された状態下で前記孔内に位置するよう設けられていることに特徴を有するものである。
【０００８】
【作用】
上記構成の合成樹脂製封緘用ベルトは、封緘状態時には弱体部がヘッド部の孔内に位置して該孔の外壁にて外部から不慮に衝撃を加える外部衝撃物との当接から回避できるようにしてあるので、例えば合成樹脂製封緘用ベルトの上に積った雪をほうき等の掃除道具で払い落とす時にも掃除道具が弱体部に直接衝当するのを避けることができ、したがって不慮の弱体部の切断を防止できる。
【０００９】
この封緘状態から開封するときは、帯状体の抜止め突起より後方部分をつかんで反挿入方向に引っ張ることにより弱体部を引きちぎることができる。
【００１０】
【発明の実施の形態】
本発明の好適な実施形態を図面に基づき説明する。図１は一実施例の合成樹脂製封緘用ベルトの平面図、図２は図１におけるＡ―Ａ線断面図、図３は図１の合成樹脂製封緘用ベルトによる封緘状態の断面図である。
【００１１】
本発明に係る合成樹脂製封緘用ベルト１は、図１、図２に示すように、全体がナイロン、ポリプロピレン等の合成樹脂からなる成形品であって、可撓性の帯状体２と、この帯状体２の一端に形成された先端部３と、帯状体２の他端に角柱状に直角に立設され、その内部に先端部３が矢印方向Ｂ（図２参照）から挿入される孔４を高さ方向に貫通するよう設けたヘッド部５により構成される。
【００１２】
先端部３には、図２に示すごとく側面視において略直角三角形状の抜止め突起６が設けられる一方、ヘッド部５の孔４の内壁には、先端部３が該孔４に挿入されると抜止め突起６が反挿入方向に引抜き不可能に係合する係合部７が設けられている。
先端部３の抜止め突起６より後方側には抜き孔８を開けて引きちぎり可能な弱体部９を設けるが、この弱体部９は、図３に示すごとく先端部３が孔４内に引き抜き不可能な深さにまで挿入される状態下で孔４内に位置するよう設けられている。
【００１３】
先端部３の弱体部９より更に後方部位には挿入深さ規制用の鍔部１０が設けられる。この鍔部１０は、図３に示すごとく先端部３が孔４内に引き抜き不可能な深さにまで挿入されると孔４の挿入側の開口端部に当接するよう設けたものである。帯状体２の鍔部１０より更に後方部分には、その表裏両面に複数の突起１１を列設することによって滑り止め状のつかみ部１２を設けて、先端部３を孔４に挿入するときや弱体部９を引きちぎるときに当該個所を指で滑らないようにつかみ易くしてある。
【００１４】
次に、上記構成の合成樹脂製封緘用ベルト１の使用方法について説明する。
先ず、例えばコンテナの扉等の被封緘部材Ｐに帯状体２を巻いたり通したりした後、つかみ部１２を指でつかみ、図３に示すように先端部３の鍔部１０がヘッド部５の孔４の挿入側の開口端部に当接するまで先端部３を孔４に矢印Ｂ方向から挿入する。すると、抜止め突起６が係合部７に引戻し不能に係合して、先端部３がヘッド部５の孔４内に引抜き不可能になるので、封緘機能を発揮する。
【００１５】
この封緘状態下では、帯状体２の弱体部９がヘッド部５から露出することなく孔４内に存在し、弱体部９がヘッド部５の孔４の外壁で囲まれて外部衝撃物から防護された状態にある。したがって、寒冷地等でこの封緘状態時に合成樹脂製封緘用ベルト１の上に積った雪をほうき等の掃除道具で払い落とす時に掃除道具がヘッド部５に衝当しても弱体部９に直接衝当するようなことはないため、不慮に弱体部９が切断するのを防止できるに至った。
【００１６】
この封緘状態から開封するには、帯状体２の抜止め突起６より後方のつかみ部１２をつかんで反挿入方向に強く引っ張ることにより弱体部９を引きちぎることができ、これにより容易に開封することができる。
【００１７】
上記実施例では、ヘッド部５に孔４が貫通状に設けられているが、これに代えてヘッド部５に孔４が先端部挿入側とは反対側の他端を塞ぐ形の盲孔に形成されるものにも同様に適用できる。
【００１８】
【発明の効果】
本発明の合成樹脂製封緘用ベルトによれば、封緘状態で易開封性の弱体部がヘッド部の孔内に位置するようにしてあるので、弱体部の不慮の切断事故を防止できるという利点がある。
【図面の簡単な説明】
【図１】一実施例の合成樹脂製封緘用ベルトの平面図である。
【図２】図１におけるＡ―Ａ線断面図である。
【図３】図１の合成樹脂製封緘用ベルトによる封緘状態の断面図である。
【図４】従来例の合成樹脂製封緘用ベルトの側面図である。
【図５】図４の合成樹脂製封緘用ベルトによる封緘状態の断面図である。
【符号の説明】
２  帯状体
３  先端部
４  孔
５  ヘッド部
６  抜止め突起
７  係合部
９  弱体部
１０  仮結合部片
【図１】
2004244076.tif 000003
【図２】
2004244076.tif 000004
【図３】
2004244076.tif 000005
【図４】
2004244076.tif 000006
【図５】
2004244076.tif 000007